(57)【要約】【課題】本発明は、カード状部品の挿抜操作を容易に行なうことのできるカード状部品の挿抜構造及びこれを具えた電子機器を提供する。【解決手段】本発明に係るカード状部品５０の挿抜構造は、カード状部品の一方の面をスライド可能に案内する第１面２２と、該第１面に対向して形成され、前記カード状部品の他方の面をスライド可能に案内する第２面２４と、を有し、前記カード状部品を挿抜可能に収容するスロット２０を具えるカード状部品の挿抜構造であって、前記スロットの第１面の前記カード状部品の引き抜き方向に、前記第１面から傾斜して突出する第１斜面３０と、前記第１斜面から前記引き抜き方向に離れた位置であって、前記カード状部品の一方の端部が前記スロットから完全に引き抜かれていない状態で、前記カード状部品の他方の端部と当接する、前記第１斜面よりも勾配の強い第２斜面４０と、を具える。【選択図】  図７
2014191609.tif 000002
【特許請求の範囲】
【請求項１】
カード状部品の一方の面をスライド可能に案内する第１面と、該第１面に対向して形成され、前記カード状部品の他方の面をスライド可能に案内する第２面と、を有し、前記カード状部品を挿抜可能に収容するスロットを具えるカード状部品の挿抜構造であって、
前記スロットの第１面の前記カード状部品の引き抜き方向に、前記第１面から傾斜して突出する第１斜面と、
前記第１斜面から前記引き抜き方向に離れた位置であって、前記カード状部品の一方の端部が前記スロットから完全に引き抜かれていない状態で、前記カード状部品の他方の端部と当接する、前記第１斜面よりも勾配の強い第２斜面と、
を具えることを特徴とするカード状部品の挿抜構造。
【請求項２】
前記第２斜面は、前記第１斜面の頂部から前記引き抜き方向に離れた位置に形成される、
請求項１に記載のカード状部品の挿抜構造。
【請求項３】
前記カード状部品が前記スロットから完全に引き抜かれていない状態で、前記カード状部品の他方の面が前記第２面の引き抜き方向にある端部と当接し、前記カード状部品の一方の面が前記第１斜面の頂部と当接し、前記カード状部品の他方の端部が前記第２斜面と当接する、
請求項２に記載のカード状部品の挿抜構造。
【請求項４】
前記第１面と前記第１斜面は、金属薄板により一体に形成され、前記第２斜面は、樹脂により形成される、
請求項１乃至請求項３の何れかに記載のカード状部品の挿抜構造。
【請求項５】
請求項１乃至請求項４の何れかに記載のカード状部品の挿抜構造を具える電子機器。
【発明の詳細な説明】
【技術分野】
【０００１】
本発明は、メモリーカードの如きカード状部品の挿抜構造及びこれを具えた電子機器に関するものである。
【背景技術】
【０００２】
携帯電話機やスマートフォンなどの電子機器では、ＳＩＭ（Subscriber  Identity  Module）カード、ＳＤカード（Secure  Digital  Memory  Card）、マイクロＳＤカードなど、ユーザにより挿抜されるカード状の電子部品（以下「カード状部品」という）を収容するスロットを具える（例えば、特許文献１参照）。
【先行技術文献】
【特許文献】
【０００３】
【特許文献１】特開２０１１−２０５４９４号公報
【発明の概要】
【発明が解決しようとする課題】
【０００４】
カード状部品は、小型且つ薄型であるため、スロットから引き抜く際に、その勢いで落下してしまうことがある。
【０００５】
本発明は、カード状部品の挿抜操作を容易に行なうことのできるカード状部品の挿抜構造及びこれを具えた電子機器を提供するものである。
【課題を解決するための手段】
【０００６】
本発明に係るカード状部品の挿抜構造は、
カード状部品の一方の面をスライド可能に案内する第１面と、該第１面に対向して形成され、前記カード状部品の他方の面をスライド可能に案内する第２面と、を有し、前記カード状部品を挿抜可能に収容するスロットを具えるカード状部品の挿抜構造であって、
前記スロットの第１面の前記カード状部品の引き抜き方向に、前記第１面から傾斜して突出する第１斜面と、
前記第１斜面から前記引き抜き方向に離れた位置であって、前記カード状部品の一方の端部が前記スロットから完全に引き抜かれていない状態で、前記カード状部品の他方の端部と当接する、前記第１斜面よりも勾配の強い第２斜面と、
を具える。
【発明の効果】
【０００７】
本発明に係るカード状部品の挿抜構造によれば、カード状部品を引き抜く際に、まずカード状部品の他方の端部が第１斜面に当接して、カード状部品がやや斜め向きとなる。さらにカード状部品を引っ張ることで、カード状部品の他方の端部は、第２斜面に当接する。第２斜面は、第１斜面よりも勾配が強いので、引き抜き途上にあるカード状部品は、第２斜面により引き抜きの勢いが弱められる。これにより、カード状部品がスロットから勢いよく引き抜かれてしまうことを抑制できるので、引き抜き時のカード状部品の落下を防止することができる。
【図面の簡単な説明】
【０００８】
【図１】図１は、本発明の一実施形態に係る電子機器の背面図であって、カード状部品の引き抜き途上状態を示している。
【図２】図２は、図１の丸囲み部Ａの斜視図であって、カード状部品がスロットに収容された状態を示している。
【図３】図３は、図１の線Ｂ−Ｂに沿う要部矢視断面図である。
【図４】図４は、図３の丸囲み部Ｃの斜視図であって、カード状部品がスロットに収容された状態を示している。
【図５】図５は、図４の状態から、カード状部品の引き抜き途上状態を示す断面図である。
【図６】図６は、図５に続く、カード状部品の引き抜き途上状態を示す断面図である。
【図７】図７は、図６に続く、カード状部品の引き抜き途上状態を示す断面図である。
【図８】図８は、図７に続く、カード状部品の引き抜き完了状態を示す断面図である。
【発明を実施するための形態】
【０００９】
以下、本発明の一実施形態について説明を行なう。
本発明は、ＳＩＭカード、ＳＤカード、マイクロＳＤカードの如き、ユーザにより挿抜されるカード状の電子部品（カード状部品５０）の挿抜構造に関するものである。本発明のカード状部品の挿抜構造を適用することのできる電子機器１０として、携帯電話機、スマートフォン、ＰＤＡ（Personal  Digital  Assistant）、タブレット端末、ＩＣレコーダ、ボイスレコーダを例示することができる。
【００１０】
本実施形態においては、電子機器１０としてスマートフォンに本発明のカード状部品５０の挿抜構造を適用し、カード状部品５０としてマイクロＳＤカードに適用した例について説明する。
【００１１】
本発明の一実施形態におけるカード状部品５０の挿脱構造は、図１乃至図４に示すように、カード状部品５０が挿入されるスロット２０と、該スロット２０のカード状部品５０の引き抜き方向（矢印α）に形成される第１斜面３０及び第２斜面４０を具える。
【００１２】
上記カード状部品５０の挿脱構造は、図１及び図２に示すように、電子機器１０の背面側にある内側シャーシ１２に凹設されたバッテリ収容部１４の近傍に設けることができ、図示では基板１６の上に配置している。通常の使用状態では、内側シャーシ１２は、図示省略する蓋体により背面側から塞がれて、バッテリ収容部１４及びカード状部品５０の挿脱構造は、外部からは視認することはできない。
【００１３】
スロット２０は、図１乃至図４に示すように、カード状部品５０の一方の面をスライド可能に案内する第１面２２と、カード状部品５０の他方の面をスライド可能に案内する第２面２４を具える。なお、以下の説明では、各図において、第１面２２側を下、第２面２４側を上と適宜称する。
【００１４】
第１面２２と第２面２４は、挿入されるカード状部品５０の厚さよりも上下方向に僅かに大きな間隔を存して配置される。図４に示すように、スロット２０の第１面２２側には、そのカード状部品５０の挿入方向（矢印β）に、カード状部品用の電気接点と電気的に接続されるバネ性を有する接点端子（図示せず）が突設されている。
【００１５】
また、スロット２０の挿入方向（矢印β）の端部は閉塞しており、カード状部品５０の一方の端部５４の挿入側のストッパ２６となっている。
【００１６】
図示の実施形態では、第１面２２は、第２面２４よりも引き抜き方向（矢印α）に長く形成しており、引き抜き方向（矢印α）の端部を、挿入されるカード状部品５０と略一致する長さとしている。
【００１７】
一方、第２面２４は、カード状部品５０よりも引き抜き方向（矢印α）の長さが短く形成されている。
【００１８】
第１面２２及び第２面２４は、夫々金属薄板から形成することができる。第１面２２と第２面２４は、金属薄板を必要に応じて屈曲させて、組み合わせることで作製できる。図示の実施形態では、第２面２４の一端を下向きに屈曲させて、前述のストッパ２６を形成している。なお、１枚の金属薄板から作製することも勿論できる。
【００１９】
第１面２２には、引き抜き方向（矢印α）にある端部に、第１面２２から上向きに傾斜して突出する第１斜面３０が形成されている。
【００２０】
第１斜面３０は、カード状部品５０を引き抜き方向（矢印α）に引き抜きを開始したときに、図５に示すように、カード状部品５０の引き抜き方向にある他方の端部５２が第１斜面３０と当接する位置に形成する。第１斜面３０の傾斜角度γは、３０〜４０°とすることが好適である。
【００２１】
また、第１斜面３０はその頂部３２が、第２面２４よりも僅かに低い位置となるように形成することが好適である。第１斜面３０の頂部３２が第２面２４よりも高く形成されると、第１斜面３０をカード状部品５０の引き抜き方向にある他方の端部５２が上っていく途上で、カード状部品５０が、第２面２４の引き抜き方向にある端部２５を支点として折れ曲がり方向の力を強く受け、スムーズに動かない虞がある。
【００２２】
第１斜面３０は、カード状部品５０の引き抜き方向にある他方の端部が第１斜面３０と当接している状態で、カード状部品５０の上面が、前記第２面２４の引き抜き方向にある端部２５と当接する範囲内に形成することが望ましい。
【００２３】
例えば、上記第１斜面３０は、金属薄板を屈曲させることで、第１面２２と一体に形成することができる。勿論、別部材から構成しても構わない。
【００２４】
第１斜面３０の頂部３２よりも引き抜き方向（矢印α）には、第１斜面３０よりも勾配の強い第２斜面４０が形成される。第２斜面４０は、スロット２０からカード状部品５０が完全に引き抜かれていない状態、即ち、図７に示すように、カード状部品５０の挿入方向にある一方の端部５４が第２面２４の下方に残っている状態で、カード状部品５０の引き抜き方向にある他方の端部５２が当接する範囲内に形成する。
【００２５】
第２斜面４０の傾斜角度δは、第１斜面３０の傾斜角度γよりも大きく、４０〜６０°とすることが好適である。
【００２６】
第２斜面４０は、望ましくは、図２及び図４に示すように、第１斜面３０の頂部３２から引き抜き方向（矢印α）に離れた位置に形成する。これにより、図６に示すように、カード状部品５０の引き抜きの際に、一旦第１斜面３０の頂部３２とカード状部品５０の下面が当接して緩やかに引き抜かれる状態を経ることができ、スムーズなカード状部品５０の引き抜きを実現できる。勿論、第１斜面３０に連続して第２斜面４０を形成することもできる。
【００２７】
第２斜面４０の頂部４２は、カード状部品５０がスロット２０から引き抜かれる直前、即ち、第２面２４から引き出される直前にカード状部品５０の下面が当接する位置とすることが好適である。
【００２８】
図示の実施例では、電子機器１０の内側シャーシ１２に傾斜を付けることで、第２斜面４０を形成している。しかしながら、第２斜面４０も、第１斜面３０と同様に金属薄板を屈曲させることで形成してもよく、また、第１面２２、第１斜面３０と一体に形成することもできる。
【００２９】
上記構成のカード状部品５０の挿抜構造におけるカード状部品５０の引き抜き工程について図４乃至図８を参照しながら説明する。
【００３０】
図４は、カード状部品５０がスロット２０に完全に挿入されている状態を示す。
この状態から、カード状部品５０の上面に指を掛けて、カード状部品５０を引き抜き方向（矢印α）に引っ張る。
【００３１】
これにより、図５に示すように、カード状部品５０は、その引き抜き方向にある他方の端部５２が第１斜面３０に当接し、僅かに斜めになりながら、第１斜面３０を上っていく。
【００３２】
このまま、カード状部品５０は、引き抜き方向にある他方の端部５２が第１斜面３０に当接した状態で第１斜面３０を上っていく。カード状部品５０は、引き抜き方向にある他方の端部５２が第１斜面３０の頂部３２に達すると、次に、図６に示すように、カード状部品５０の下面が第１斜面３０の頂部に乗り上げる。このとき、カード状部品５０は、下面側が接点端子と第１斜面３０の頂部３２、上面側が第２面２４の引き抜き方向にある端部２５と当接した状態となる。
【００３３】
このまま、さらにカード状部品５０を引っ張ると、カード状部品５０の引き抜き方向にある他方の端部５２は、図７に示すように、第２斜面４０に当接する。第２斜面４０は、第１斜面３０よりも勾配が強いため、第２斜面４０に当接すると、カード状部品５０は、その引き抜きの勢いが弱められる。従って、カード状部品５０がスロット２０から勢いよく引き抜かれてしまうことを抑制できるので、引き抜き時のカード状部品５０の落下を防止することができる。
【００３４】
図７において、カード状部品５０は、その引き抜き方向にある他方の端部５２が第２斜面４０に当接すると共に、上面が第２面２４の引き抜き方向にある端部２５に当接しており、下面が、第１斜面３０の頂部３２と接点端子に当接した状態となっている。従って、この状態で指を離し、電子機器１０を引き抜き方向（矢印α）が下向きとなるように動かしても、カード状部品５０が落下してしまうことはない。
【００３５】
さらに、図７の状態からカード状部品５０を引っ張ることで、図８に示すように、カード状部品５０の挿入方向にある一方の端部５４が第２面２４から離れ、カード状部品５０の引き抜きが完了する。
【００３６】
上記のように、本発明に係るカード状部品５０の挿抜構造によれば、カード状部品５０を引き抜くときに、一旦カード状部品５０の引き抜きの勢いが抑えられるので、カード状部品５０が引き抜きの勢いで落下してしまうことを防止できる。
【００３７】
カード状部品５０を挿入する際には、図８の状態からカード状部品５０をスロット２０に向けて押し込めばよい。
【００３８】
なお、本発明の各部構成は上記実施の形態に限らず、特許請求の範囲に記載の技術的範囲内で種々の変形が可能である。
【産業上の利用可能性】
【００３９】
本発明は、カード状部品の挿抜操作を容易に行なうことのできるカード状部品の挿抜構造及びこれを具えた電子機器として有用である。
【符号の説明】
【００４０】
１０  電子機器
２０  スロット
２２  第１面
２４  第２面
３０  第１斜面
３２  頂部（第１斜面）
４０  第２斜面
４２  頂部（第２斜面）
５０  カード状部品
５２  引き抜き方向にある他方の端部（カード状部品）
【図１】
2014191609.tif 000003
【図２】
2014191609.tif 000004
【図３】
2014191609.tif 000005
【図４】
2014191609.tif 000006
【図５】
2014191609.tif 000007
【図６】
2014191609.tif 000008
【図７】
2014191609.tif 000009
【図８】
2014191609.tif 000010